【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
第１データ格納面と第２データ格納面とを含む不揮発性メモリを備え、車両用マスタ装置から更新データを受信し、その受信した更新データを前記第２データ格納面に書込み、前記第２データ格納面のプログラムを書換える電子制御装置（１９）において、
前記第２データ格納面のプログラムの書換えを完了し、且つ前記車両用マスタ装置からアクティベート要求が指示された場合に、前記第１データ格納面及び前記第２データ格納面のうち何れかが運用面であるかを示す運用面情報を更新する運用面情報更新部（１０７ａ）と、
アクティベートの実行条件の成立を判定する実行条件判定部（１０７ｂ）と、
アクティベートの実行条件が前記実行条件判定部により成立したと判定された場合に、当該電子制御装置が再起動後に、前記運用面情報に基づいて前記第２データ格納面を起動面として起動させる実行制御部（１０７ｃ）と、を備え、
前記実行制御部は、前記第２データ格納面のプログラムの書換えを完了し、前記車両用マスタ装置からアクティベート要求が指示されることなく当該電子制御装置が再起動した場合に、前記運用面情報に基づいて前記第１データ格納面を起動面として起動させる電子制御装置。
【請求項２】
前記実行条件判定部は、前記車両用マスタ装置からソフトウェアのリセット要求が指示されたこと、前記車両用マスタ装置から電源のリセット要求が指示されたこと、前記車両用マスタ装置との通信途絶が所定時間継続したことのうち少なくとも何れかを実行条件とする請求項１に記載した電子制御装置。
【請求項３】
前記第２データ格納面のプログラムの書換えを完了していないときに、前記車両用マスタ装置からアクティベート要求が指示された場合に、否定応答を前記車両用マスタ装置に通知情報として通知する通知部（１０７ｄ）を備える請求項１又は２に記載した電子制御装置。
【請求項４】
前記通知部は、前記プログラム書換え部が前記第２データ格納面のプログラムの書換えを完了したが書換え後のデータ検証が否であるときに、前記車両用マスタ装置からアクティベート要求が指示された場合に、否定応答を前記車両用マスタ装置に通知情報として通知する請求項３に記載した電子制御装置。
【請求項５】
外部から更新データを取得し、その取得した更新データを書換え対象の電子制御装置に配信し、プログラムの書換えを書換え対象の電子制御装置に指示する車両用マスタ装置（１１）と、第１データ格納面と第２データ格納面とを含む不揮発性メモリを備え、車両用マスタ装置から更新データを受信し、その受信した更新データを前記第２データ格納面に書込み、前記第２データ格納面のプログラムを書換える電子制御装置（１９）と、を備える車両用電子制御システム（１）において、
前記電子制御装置は、
前記第２データ格納面のプログラムの書換えを完了し、且つ前記車両用マスタ装置からアクティベート要求が指示された場合に、前記第１データ格納面及び前記第２データ格納面のうち何れかが運用面であるかを示す運用面情報を更新する運用面情報更新部（１０７ａ）と、
アクティベートの実行条件の成立を判定する実行条件判定部（１０７ｂ）と、
アクティベートの実行条件が前記実行条件判定部により成立したと判定された場合に、当該電子制御装置が再起動後に、前記運用面情報に基づいて前記第２データ格納面を起動面として起動させる実行制御部（１０７ｃ）と、を備え、
前記実行制御部は、前記第２データ格納面のプログラムの書換えを完了し、前記車両用マスタ装置からアクティベート要求が指示されることなく当該電子制御装置が再起動した場合に、前記運用面情報に基づいて前記第１データ格納面を起動面として起動させる車両用電子制御システム。
【請求項６】
第１データ格納面と第２データ格納面とを含む不揮発性メモリを備え、車両用マスタ装置から更新データを受信し、その受信した更新データを前記第２データ格納面に書込み、前記第２データ格納面のプログラムを書換える電子制御装置（１９）において、
前記第２データ格納面のプログラムの書換えを完了し、且つ前記車両用マスタ装置からアクティベート要求が指示された場合に、前記第１データ格納面及び前記第２データ格納面のうち何れかが運用面であるかを示す運用面情報を更新する運用面情報更新手順と、
アクティベートの実行条件の成立を判定する実行条件判定手順と、
アクティベートの実行条件が前記実行条件判定手順により成立したと判定した場合に、当該電子制御装置が再起動後に、前記運用面情報に基づいて前記第２データ格納面を起動面として起動させ、前記第２データ格納面のプログラムの書換えを完了した後に前記車両用マスタ装置からアクティベート要求が指示されることなく当該電子制御装置が再起動した場合に、前記運用面情報に基づいて前記第１データ格納面を起動面として起動させる起動制御手順と、を行うアクティベートの実行制御方法。
【請求項７】
第１データ格納面と第２データ格納面とを含む不揮発性メモリを備え、車両用マスタ装置から更新データを受信し、その受信した更新データを前記第２データ格納面に書込み、前記第２データ格納面のプログラムを書換える電子制御装置（１９）に、
前記第２データ格納面のプログラムの書換えを完了し、且つ前記車両用マスタ装置からアクティベート要求が指示された場合に、前記第１データ格納面及び前記第２データ格納面のうち何れかが運用面であるかを示す運用面情報を更新する運用面情報更新手順と、
アクティベートの実行条件の成立を判定する実行条件判定手順と、
アクティベートの実行条件が前記実行条件判定手順により成立したと判定した場合に、当該電子制御装置が再起動後に、前記運用面情報に基づいて前記第２データ格納面を起動面として起動させ、前記第２データ格納面のプログラムの書換えを完了した後に前記車両用マスタ装置からアクティベート要求が指示されることなく当該電子制御装置が再起動した場合に、前記運用面情報に基づいて前記第１データ格納面を起動面として起動させる起動制御手順と、を実行させるアクティベートの実行制御プログラム。
【手続補正２】
【補正対象書類名】明細書
【補正対象項目名】０００７
【補正方法】変更
【補正の内容】
【０００７】
請求項１に記載した電子制御装置（１９）によれば、第１データ格納面と第２データ格納面とを含む不揮発性メモリを備え、車両用マスタ装置から更新データを受信し、その受信した更新データを第２データ格納面に書込み、第２データ格納面のプログラムを書換える。運用面情報更新部（１０７ａ）は、プログラム書換え部が第２データ格納面のプログラムの書換えを完了し、且つ車両用マスタ装置からアクティベート要求が指示されると、第１データ格納面及び第２データ格納面のうち何れかが運用面であるかを示す運用面情報を更新する。実行条件判定部（１０７ｂ）は、アクティベートの実行条件の成立を判定する。実行制御部（１０７ｃ）は、アクティベートの実行条件が実行条件判定部により成立したと判定されると、当該電子制御装置が再起動後に、運用面情報に基づいて第２データ格納面を起動面として起動させる。又、実行制御部は、第２データ格納面のプログラムの書換えを完了し、車両用マスタ装置からアクティベート要求が指示されることなく当該電子制御装置が再起動した場合に、運用面情報に基づいて第１データ格納面を起動面として起動させる。
【手続補正３】
【補正対象書類名】明細書
【補正対象項目名】０００８
【補正方法】変更
【補正の内容】
【０００８】
アクティベートの実行条件が成立したと判定すると、当該電子制御装置が再起動後に、運用面情報に基づいて第２データ格納面を起動面として起動させるようにした。データ格納面を複数面で持つ電子制御装置をプログラムの書換え対象とする場合に、外部からの指示に基づいてアクティベートを適切に制御することができる。